(57)【要約】      （修正有）【課題】底孔のない植木鉢内に使用され、長期間水遣りをしなくても植物を良好に育てることができる水分誘導体を提供する。【解決手段】焼成により毛細管現象を引き起こす微細孔が全体に形成された陶器状の水分誘導体２であって、該水分誘導体２は、植木鉢１内の低部中間高さ位置1ｃの水平断面形状に合致する形状に形成され且つ中央に給水孔６が貫設された仕切盤３と、該仕切盤３を植木鉢１内の低部中間高さ位置１ｃに支持すると共に植木鉢１の底部に貯水空間９を形成する仕切盤下面の台座４と、該仕切盤３の上面に直立させて棒状に形成した２本の放水突起５とが一体的に形成されて成る。そして、貯水空間６にある水を水分誘導体２を通して仕切盤３及び放水突起５の表面から植木鉢１内に放出させ、植木鉢１内にある土粒子１０の適度な湿気を長期間保持可能とする。【選択図】図６
0003144816.tif 000002
【実用新案登録請求の範囲】
【請求項１】
貯水可能に底孔のない内底を備えた植木鉢内に載置して用いる、毛細管現象を引き起こす微細孔が全体に形成された陶器状の水分誘導体であって、
周囲が前記植木鉢内の低部中間高さ位置の水平断面形状に合致する形状に形成されると共に中央部に給水孔が貫設された水平な仕切盤と、
該仕切盤の上面に形成される、前記植木鉢の上部中間高さ位置に達する高さで立設された一本又は複数本の棒状の放水突起と、
該仕切盤の下面に形成される、該仕切盤を前記植木鉢内の低部中間高さ位置に保持して底部に貯水空間が形成される台座と、から成り、
前記植木鉢内の土粒子に適度な湿気を長期間保持可能としたことを特徴とする水分誘導体。
【請求項２】
台座が中心部の貯水空間とその周囲の貯水空間とを形成する直立円筒形を成し、該台座の下辺の一部に、前記中心部の貯水空間とその周囲の貯水空間とを繋ぐ通水切欠部が形成されたことを特徴とする請求項１に記載の水分誘導体。
【請求項３】
請求項１又は２に記載の水分誘導体を内蔵した植木鉢であって、貯水可能に底孔のない内底を備え且つ内部表面には非吸水性処理が施された植木鉢に前記水分誘導体が内蔵されて成り、前記水分誘導体の給水孔の上に土落下防止網を敷き、該水分誘導体の上に植物を植える土を入れ、該土の上から撒いた水の水位が前記仕切盤の上面には達しない量に調節して使用されることを特徴とする植木鉢。
【請求項４】
仕切盤の上面よりも僅か低い位置にあたる植木鉢の側面に水抜き孔を設けて成り、植木鉢に撒いた過剰水が該水抜き孔から外に排出され、植木鉢内の水位が前記仕切盤の上面には達しない量に自動的に調節されるようにしたことを特徴とする請求項３に記載の植木鉢。
【考案の詳細な説明】
【技術分野】
【０００１】
本考案は、木や草花等の植物を植える植木鉢内の底部に載置される水分誘導体と、その水分誘導体を内蔵した植木鉢に関する。
【背景技術】
【０００２】
木や草花等の植物を植える植木鉢は、古くから使用されているが、限られた体積の中において植物の根が水を吸い上げるため、活発に蒸散する植物ほど鉢土が乾きやすく、乾燥による衰弱や枯死を招く一方、逆に根から多くの水を吸わない植物では過剰な水が滞留して酸素補給が困難となり、根腐となって枯れてしまうことがある。
特に、旅行などで長期に家を空ける場合、水の補給ができないので、鉢土が乾燥してしまい植物を衰弱させたり、枯死させてしまうことがある。
そこで、下記特許文献１のように、外鉢に溜めた水を自動的に植木鉢に補給させる装置が提案されている。
【特許文献１】特願２００２−２７８５４号公報
【考案の開示】
【考案が解決しようとする課題】
【０００３】
上記特許文献１に記載の植木鉢では、毛細管現象により土に給水することが可能とはなるが、植物に対して適度な水の補給を行うことは困難であり、特に貯水用の鉢と植木鉢とを重ねることは、重たくなり移動などで扱いにくくなるという難点がある。
そこで本考案は、植物にとって適度に且つ長期間安定して水の供給が可能となる水分誘導体と、その水分誘導体を用いて長期間安定して水の供給が可能となる植木鉢を提供することを目的とする。
【課題を解決するための手段】
【０００４】
上記課題を解決するために本考案の水分誘導体の請求項１に記載の考案は、貯水可能に底孔のない内底を備えた植木鉢内に載置して用いる、毛細管現象を引き起こす微細孔が全体に形成された陶器状の水分誘導体であって、周囲が前記植木鉢内の低部中間高さ位置の水平断面形状に合致する形状に形成されると共に中央部に給水孔が貫設された水平な仕切盤と、該仕切盤の上面に形成される、前記植木鉢の上部中間高さ位置に達する高さで立設された一本又は複数本の棒状の放水突起と、該仕切盤の下面に形成される、該仕切盤を前記植木鉢内の低部中間高さ位置に保持して底部に貯水空間が形成される台座と、から成る。
そして、前記植木鉢内の土粒子に適度な湿気を長期間保持可能としたことを特徴とする。
【０００５】
請求項２に記載の考案は、上記考案において、前記台座が中心部の貯水空間とその周囲の貯水空間とを形成する直立円筒形を成し、該台座の下辺の一部に、前記中心部の貯水空間とその周囲の貯水空間とを繋ぐ通水切欠部が形成されたことを特徴とする。
【０００６】
請求項３に記載の考案は、上記請求項１又は２に記載の水分誘導体を内蔵した植木鉢であって、貯水可能に底孔のない内底を備え且つ内部表面には非吸水性処理が施された植木鉢に前記水分誘導体が内蔵されて成り、前記水分誘導体の給水孔の上に土落下防止網を敷き、該水分誘導体の上に植物を植える土を入れ、該土の上から撒いた水の水位が前記仕切盤の上面には達しない量に調節して使用されることを特徴とする。
【０００７】
請求項４に記載の考案は、上記請求項３に記載の植木鉢であって、前記仕切盤の上面よりも僅か低い位置にあたる植木鉢の側面に水抜き孔を設けて成り、植木鉢に撒いた過剰水が該水抜き孔から外に排出され、植木鉢内の水位が前記仕切盤の上面には達しない量に自動的に調節されるようにしたこと徴とする。
【考案の効果】
【０００８】
本考案は上記構造なので、植木鉢内に植えた植物の根は水分誘導体の台座周囲の貯水空間に蓄えられた水が、毛細管現象を引き起こす微細孔がある水分誘導体の中に吸い上げられ、前記仕切盤及び放水突起の表面から植木鉢内にその水が水蒸気などになって放出され、前記植木鉢内の土粒子に湿気を与える。
その際、植木鉢内の土粒子は、直接に貯水された水を吸収するのではなく、常時粒子間の空間には水分誘導体の上面と放散突起とから放散される水蒸気の供給によってその水分を適度に含んでいる状態となる。
このため、土粒子は水分過剰にはならず、貯水空間に水が溜まっていても、根腐病にはならずしかも乾き過ぎない状態が保持できる。
【０００９】
また、粒子間の空間に空気即ち酸素が保持された状態で水分が供給され、植木鉢内に植物の根にとって好ましい環境が形成され、その好ましい環境が長期間保持可能となる。
さらに、貯水空間に蓄えられた水は水分誘導体を介して適度に放出されるので、貯水空間の大きさにもよるが多く蓄えられるようにすれば家族旅行などで長期間水を遣ることができなくても植物を正常に状態に管理することが可能となる。
【考案を実施するための最良の形態】
【００１０】
本考案の水分誘導体と、その水分誘導体を使用した植木鉢について実施するための形態を以下説明する。
【００１１】
本考案の水分誘導体２は、図１及び図２に示すように、植木鉢１の中に使用するものである。
該植木鉢１は、ステンレス、プラスチック、ガラス、陶磁器などが使用でき、陶器製などの表面に水を含み濡れた状態となるような素材では内部表面１ａに塗装などで非吸水性処理を施して、鉢からの吸水をしないようにしたものを使用する。
【００１２】
植木鉢１の中の水分誘導体２は、上記素材で底が１６ｃｍ程度の径で底孔がなく、上部開口が約２５ｃｍ径で高さ２５ｃｍの植木鉢１の内底１ｂに載置して用いる。
該水分誘導体２は、厚さ１ｃm程度に土を焼成して得たものであり、毛細管現象を引き起こす微細孔が全体に形成された陶器状を成すものを使用する。
該水分誘導体２は、水平な仕切盤３と、その上の棒状の放水突起５と、その下の台座４とを一体化して成る。
【００１３】
前記仕切盤３は、周囲が前記植木鉢１内の内底１ｂから６ｃｍ程度の低部中間高さ位置1ｃの水平断面形状に合致する形状に２２ｃｍ径で形成する。これは、図５に示すように、前記植木鉢１の内面に嵌るように収納可能とするためである。
即ち、前記仕切盤３の周囲の形状は前記植木鉢１の形状が四角である場合には図３に示すように、その植木鉢１の大きさ及び形状を対応させて四角の形状にし、また楕円形の場合には図４に示すように、その植木鉢の大きさ及び形状を対応させて楕円の形状に形成し、前記植木鉢１の内部の低部に確実に嵌るようにする。
そして、前記仕切盤３の中央部には径が１ｃm程度の給水孔６を貫設する。この孔から水が前記仕切盤３下の空間に注入される。
【００１４】
前記放水突起５は、図１に示すように、２本の径が１ｃm程度の棒状をなし、該仕切盤３の上面に形成され、前記植木鉢１の上部中間高さ位置に達する７ｃｍ程度の高さとし６ｃｍ程度の間隔を中央に置いて立設される。
前記放水突起５の長さ植木鉢１の深さにもよるが、３〜８ｃｍ程度が良い。
【００１５】
前記台座４は、図１に示すように、該仕切盤３の下面に形成され、該仕切盤３を前記植木鉢１内の低部中間高さ位置1ｃに保持できるようにする。その高さは６ｃm程度が好ましい。
そして、図５に示すように、該仕切盤３下には貯水空間９を形成する。
【００１６】
以上の構成の水分誘導体２は、図５に示すように、前記貯水空間９にある水が毛細管現象で水分誘導体２内を通って吸い上げられ、前記仕切盤３及び放水突起５の表面から植木鉢１内に適度に放出されるので、前記植木鉢１内の土粒子１０には適度な湿気が長期間保持可能となる。
【００１７】
前記台座４の形状は、図１に示すように、その内部に中心部とその周囲の二つの貯水空間９ａ、９ｂを形成する直立円筒形にすることができる。この円筒形状の場合には、該台座４の下辺の一部を切欠して、前記両貯水空間９ａ、９ｂを繋ぐ通水切欠部７を形成し、前記給水孔６から入った水が中心部側の貯水空間９ａから、その周囲の貯水空間９ｂへ速やかに移動できるようにする。
【００１８】
次に上記水分誘導体２を内蔵した植木鉢１を説明する。
本考案の植木鉢１は、図５に示すように、底孔がなく且つ内部表面１ａには非吸水性処理が施されたものを使用する。
内部表面１ａを非吸水性とするのは、周囲の貯水空間９ｂの水が内部表面１ａ伝いに過剰に放出されるのを防ぎ、貯水されている水を土粒子には有効に使用して、土に使われないで放出される水の量を減らし、且つ土粒子１０が過剰に濡れるのを防ぐためである。
【００１９】
この植木鉢１に中には、図２に示すように、内蔵した水分誘導体２の給水孔６の上に土落下防止網８を敷き、図５に示すように、該水分誘導体２の上に植物を植える培養土などの土粒子１０を鉢内に７分目ほど入れる。
そして、使用する場合、図６に示すように、植物１１を植えて、培養土などの土粒子１０の上に水を撒く。この際、撒いた水が貯水空間９を満たし、その水の水位Ｌが前記仕切盤３の上面に達しない量に調節して水を管理する。
その際、過剰な給水を避けるため、仕切盤３の上面部位よりも僅か低い位置に水抜き孔（図省略）を設け、土粒子１０の上から撒いた水の水位Ｌが前記仕切盤３の上面には達しない量に自動的に調節されるようにすることもできる。
【００２０】
前記植木鉢１の内部では、図６に示すように、植えた植物１１の根１２が前記貯水空間９から供給される水Wを求めて放水突起５を取り囲むように成長する。
そして、前記植木鉢１内の土粒子１０には、粒子間の空間には水分誘導体２の上面と放水突起５とから放散される水蒸気が適度に供給される。このとき土粒子１０が過剰保水の状態にならず、しかも乾き過ぎず、粒子間の空間に空気が保持された根に好ましい環境が形成される。
このため、貯水空間９に常時水が溜まっているにもかかわらず、土粒子に補給される水分量は水分誘導体２によって水蒸気などとして適度に調節されるので過剰に濡れることがなく根腐病などが起こらない。
【００２１】
しかし、水が仕切盤３の上面に被っていた場合には、仕切盤３の上に載っている土粒子１０が直接その水を過剰に吸い上げてしまい、過剰に濡れた土で植物が根腐れ病などになりやすくなり、また植木鉢１内には過剰の水分が供給されてしまうので貯水空間９の水を短期間で放出してしまうので水遣りを頻繁に行わなければならなくなるなどの理由で好ましくはない。
そのため、前記植木鉢１の側面に、前記仕切盤３の上面より低い部位に排水孔（図省略）を備えれば、植木鉢を屋外に置いたときに、どんなに多い雨量でも、降った雨水による水位Ｌが仕切盤３の上面には達することがないので水位Ｌの調節を管理する手間がかからなくなる利点がある。
【産業上の利用可能性】
【００２２】
本考案の水分誘導体は、主として家庭用の植木鉢に使用するものであるが、事務所、店舗、ホテルなどの業務用の植木鉢に使用することも可能である。
【図面の簡単な説明】
【００２３】
【図１】本考案の水分誘導体とそれを入れた植木鉢の縦断斜視図である。
【図２】水分誘導体の要部縦断斜視図と水分誘導体を入れる前の植木鉢の斜視図である。
【図３】別形状の水分誘導体の斜視図である。
【図４】さらに別形状の水分誘導体の斜視図である。
【図５】土を入れた状態を示す植木鉢の縦断斜視図である。
【図６】植木鉢に植物を植えた使用状態を示す植木鉢の縦断斜視図である
【符号の説明】
【００２４】
１    植木鉢
１ａ  植木鉢の内部表面
１ｂ  植木鉢の内底
１ｃ  植木鉢の低部中間高さ位置
２    水分誘導体
３    仕切盤
４    台座
４ａ  円筒状台座
５    放水突起
６    給水孔
７    通水切欠部
８    土落下防止網
９    貯水空間
９ａ  中心部の貯水空間
９ｂ  外周部の貯水空間
１０    土粒子
１１    植物
１２    根
S    水蒸気
W    水
Ｌ    水位
【図１】
0003144816.tif 000003
【図２】
0003144816.tif 000004
【図３】
0003144816.tif 000005
【図４】
0003144816.tif 000006
【図５】
0003144816.tif 000007
【図６】
0003144816.tif 000008